(57)【要約】  Ａ．界面活性剤、例えば、非イオン性エトキシル化アルコール、Ｂ．溶媒、例えば、プロピレングリコールｎ−ブチルエーテル、Ｃ．トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択される低ＶＯＣ、低臭気アルカノールアミン、Ｄ．水、ならびにＥ．所望に応じて含んでよい、アルカリ性剤、ビルダー、香料、保存剤、殺生物剤、着色剤、染料、およびレオロジー改質剤のうちの１つ以上、を含む硬質表面洗浄組成物。【選択図】なし【特許請求の範囲】
【請求項１】
トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択されるアルカノールアミンを含む硬質表面洗浄組成物。
【請求項２】
Ａ．界面活性剤、
Ｂ．溶媒、
Ｃ．トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択されるアルカノールアミン、ならびに
Ｄ．水
を含む洗浄組成物。
【請求項３】
洗浄組成物であって、前記組成物の質量に対する質量パーセントにて、
Ａ．０．１〜２０質量％の界面活性剤、
Ｂ．０．１〜２５質量％の溶媒、
Ｃ．トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択される、０．１〜５質量％のアルカノールアミン、ならびに
Ｄ．水
を含む、洗浄組成物。
【請求項４】
前記水が、脱イオン化されており、前記組成物の９０〜９９．５質量％を占める、先行する請求項のいずれか１項に記載の洗浄組成物。
【請求項５】
前記界面活性剤が、アルコキシル化非イオン性界面活性剤である、先行する請求項のいずれか１項に記載の洗浄組成物。
【請求項６】
前記界面活性剤が、アルコールエトキシレートである、先行する請求項のいずれか１項に記載の洗浄組成物。
【請求項７】
前記溶媒が、プロピレングリコールｎ−ブチルエーテル、プロピレングリコールｎ−プロピルエーテル、ジプロピレングリコールメチルエーテル、ジプロピレングリコールプロピルエーテル、ジプロピレングリコールｎ−ブチルエーテル、トリプロピレングリコールｎ−ブチルエーテル、およびトリプロピレングリコールメチルエーテルのうちの１つ以上である、先行する請求項のいずれか１項に記載の洗浄組成物。
【請求項８】
アルカリ性剤、ビルダー、香料、保存剤、殺生物剤、着色剤、染料、およびレオロジー改質剤のうちの少なくとも１つをさらに含む、先行する請求項のいずれか１項に記載の洗浄組成物。
【請求項９】
アルカリ金属水酸化物を含む、先行する請求項のいずれか１項に記載の洗浄組成物。
【請求項１０】
前記アルカノールアミンが、トリス（ヒドロキシメチル）アミノメタンおよび３−アミノ−４−オクタノールのうちの少なくとも１つである、先行する請求項のいずれか１項に記載の洗浄組成物。
【発明の詳細な説明】
【技術分野】
【０００１】
１．発明の分野
本発明は、硬質表面洗浄剤に関する。１つの態様では、本発明は、アルカノールアミンを含む硬質表面洗浄剤に関し、一方、別の態様では、本発明は、低もしくはゼロ揮発性有機化合物（ＶＯＣ）であり、および臭気を、有していたとしてもほとんど有しないアルカノールアミンを含む硬質表面洗浄剤に関する。
【背景技術】
【０００２】
２．関連技術の記載
モノエタノールアミン（ＭＥＡ）、ジエタノールアミン（ＤＥＡ）、およびトリエタノールアミン（ＴＥＡ）を含むエタノールアミンは、複雑な混合物および非標準的な動物モデルの使用を報告するケースからの事例情報に基づいて、推定される呼吸器感作性物質として分類されている（例えば、Kamijo and Nagai., "Acute Respiratory Distress Syndrome Following Asthma-Like Symptoms from Massive Ingestion of a Monoethanolamine-Containing Detergent", Vet Human Toxicol, 46 (2), 2004年4月、を参照）。ＭＥＡは、硬質表面洗浄剤の重要な成分として広く用いられてきたが、最近提案された標準では、汎用洗浄剤（ＡＰＣ）のＶＯＣ含有量を、２０１２年までに現行の４質量％から０．５質量％へ低減することが要求されることになる。ＭＥＡは、ＶＯＣと見なされ、強い特徴的な臭気も有する。硬質表面洗浄剤の多くの製造業者は、ＶＯＣ含有量があったとしてもほとんどなく、臭気があったとしてもほとんどない、ＭＥＡに代わる代替アミンを求めている。ＭＥＡをモノ−イソプロパノールアミンに置き換えたこれまでの試みは、性能の有望性およびより良好な毒性プロファイルを示したが、モノ−イソプロパノールアミンも、やはりＶＯＣであり、その臭気はＭＥＡよりもさらに強いものである。
【先行技術文献】
【非特許文献】
【０００３】
【非特許文献１】Kamijo and Nagai., "Acute Respiratory Distress Syndrome Following Asthma-Like Symptoms from Massive Ingestion of a Monoethanolamine-Containing Detergent", Vet Human Toxicol, 46 (2), 2004年4月
【発明の概要】
【発明が解決しようとする課題】
【０００４】
ブチル有機基を有する低揮発性アルカノールアミンは、洗浄剤組成物に広く用いられてきたモノエタノールアミンに匹敵する洗浄効率、ならびにフィルム形成およびストリーク性能を提供することが期待されない。しかし、それらが試験されたのは、それらが、通常は中和に用いられ、ＶＯＣを有していたとしてもほとんど有さず、多くの場合、アミン臭気があったとしてもほとんどないことからである。驚くべきことに、特定のアルカノールアミンは、良好な洗浄性を提供することが見出され、ＶＯＣが低いかまたはゼロであり、周囲条件下にて、臭気を有していたとしてもほとんど有しないにも関わらず、中にはモノエタノールアミンに匹敵するフィルム形成およびストリーク性能を有するものもある。
【課題を解決するための手段】
【０００５】
１つの実施形態では、本発明は、トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択されるアルカノールアミンを含む硬質表面洗浄組成物である。
【０００６】
１つの実施形態では、本発明は：
Ａ．界面活性剤、
Ｂ．溶媒、
Ｃ．トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択されるアルカノールアミン、ならびに
Ｄ．水
を含む洗浄組成物である。所望に応じて、洗浄組成物は、アルカリ性剤、染料、着色剤、香料、および保存剤のうちの１つ以上を含んでよい。１つの実施形態では、本発明の洗浄組成物はまた、完全にではないとしても、実質的に、アルキルポリグルコシドおよびポリアルミニウム化合物の両方を含まないものでもある。１つの実施形態では、洗浄組成物は、薄めずにすぐに使用できるものであり、一方、別の実施形態では、洗浄組成物は、使用前に希釈の必要がある濃縮物である。
【０００７】
１つの実施形態では、本発明は、組成物の質量に対する質量パーセント（質量％）にて、
Ａ．０．０１〜２０質量％の界面活性剤、
Ｂ．０．１〜２５質量％の溶媒、
Ｃ．トリス（ヒドロキシメチル）アミノメタン、２−アミノ−２−メチル−１，３−プロパンジオール、２−アミノ−２−エチル−１，３−プロパンジオール、２−アミノ−２−メチル−１−プロパノール、Ｎ，Ｎ−ジメチルアミノ−２−メチル−１−プロパノール、および３−アミノ−４−オクタノールからなる群より選択される、０．１〜５質量％のアルカノールアミン、ならびに
Ｄ．適量（ｑ．ｓ．）の水
を含む洗浄組成物である。水は、通常、組成物の主たる成分であり、すぐに使用できる製剤の場合、通常、組成物の質量に対して９５質量％を超えて存在する。濃縮製剤の場合、水はより少ない量で存在し、例えば、濃縮物の質量に対して５０質量％未満である。実際に存在する場合、組成物の所望に応じて存在してよい成分は、洗浄製剤に典型的な量で存在し、例えば、組成物の質量に対して０．０１〜１質量％である。
【図面の簡単な説明】
【０００８】
【図１】図１は、９インチ四方のチーズクロスを約４．５×２．２５インチの長方形に折り畳むために用いられる手順を示す図である。
【図２】図２は、４．５インチミラータイル上にて硬質表面洗浄剤をフィルム形成性、ストリーク性、および洗浄性について試験するために用いられる液滴パターンを示す図である。
【０００９】
【図３Ａ】図３Ａは、トリス（ヒドロキシメチル）アミノメタンまたは３−アミノ−４−オクタノールを含む洗浄製剤の相安定性を、ＭＥＡを含む洗浄組成物に対して様々な温度にわたって比較した一連のチャートである。
【図３Ｂ】図３Ｂは、トリス（ヒドロキシメチル）アミノメタンまたは３−アミノ−４−オクタノールを含む洗浄製剤の相安定性を、ＭＥＡを含む洗浄組成物に対して様々な温度にわたって比較した一連のチャートである。
【図３Ｃ】図３Ｃは、トリス（ヒドロキシメチル）アミノメタンまたは３−アミノ−４−オクタノールを含む洗浄製剤の相安定性を、ＭＥＡを含む洗浄組成物に対して様々な温度にわたって比較した一連のチャートである。
【００１０】
【図４】図４は、１２３のフィルム形成性およびストリーク性試験の結果のプロットである。フィルム形成性の結果は、図の最上部にわたる１〜１０のスケールで示す。ストリーク性の結果は、図の右側上の１〜１０のスケールで示す。
【発明を実施するための形態】
【００１１】
定義
特に断りのない限り、文脈から既定である場合、または本技術分野にて通例である場合、部およびパーセントはすべて質量基準であり、試験方法はすべて、本開示の出願日時点で最新のものである。米国特許実務の目的のために、いずれの参照特許、特許出願、または公報の内容についても、特に定義の開示事項（本開示で具体的に提供されるいかなる定義とも矛盾しない程度にて）および本技術分野における一般的知識に関して、その全てが参照により本明細書に組み込まれる（または、その対応する米国バージョンが参照によりそのように組み込まれる）。
【００１２】
本開示における数値範囲は、おおよそのものであり、従って、特に断りのない限り、範囲外の値を含む場合がある。数値範囲は、下側値および上側値を含め、１単位ずつにて、その間のすべての数値を含むが、ただし、いずれの下側値およびいずれの上側値の間にも少なくとも２単位分の差がある場合である。例として、例えば分子量など、組成、物理的、またはその他の特性が、１００〜１０００である場合、１００、１０１、１０２などのすべての個々の値、および１００〜１４４、１５５〜１７０、１９７〜２００などのサブ範囲が、明確に列挙される。１未満の値を含む、または１より大きい小数（例：１．１、１．５など）を含む範囲の場合、１単位は、適宜、０．０００１、０．００１、０．０１、または０．１として見なされる。１０未満の１桁の数値を含む範囲の場合（例：１〜５）、１単位は、通常、０．１として見なされる。これらは、具体的に意図されるものの単なる例であり、列挙される下限値と上限値との間の数値のすべての考え得る組み合わせが、本開示において明確に記述されるものとして見なされるべきである。数値範囲は、中でも、特定の組成物中の成分の相対量のために、本開示中にて提供される。
【００１３】
「低またはゼロ揮発性有機化合物（ＶＯＣ）」および類似の用語は、２０℃にて０．１ミリメートル（ｍｍ）水銀（Ｈｇ）以下の蒸気圧を有する化合物を意味する。ＶＯＣの蒸気圧は、通常、ＡＳＴＭ  Ｅ−１７１９−９７に従って測定される。
【００１４】
「界面活性剤」および類似の用語は、水もしくは水溶液中に溶解された場合に表面張力を低下させる、または２つの液体間、もしくは液体と固体との間の界面張力を低下させる、物質または化合物を意味する。界面活性剤としては、アニオン性、カチオン性、非イオン性、双性イオン性、および／または両性の剤が挙げられる。
【００１５】
「実質的に、アルキルポリグルコシドおよびポリアルミニウム化合物の両方を含まない」および類似の用語は、洗浄組成物が、いずれかの成分単独を、または互いの組み合わせを、０．１質量％未満、好ましくは０．０５質量％未満、さらにより好ましくは０．０１質量％未満含むことを意味する。
【００１６】
「濃縮物」および類似の用語は、すぐに使用できる状態とするために、水および／またはその他の溶媒で希釈する必要のある洗浄組成物を意味する。濃縮物は、通常、１〜１０または１〜２０の希釈率が必要であり、すなわち、質量もしくは容量基準での１〜１０もしくは１〜２０部の水および／または溶媒が、濃縮物に添加されて、濃縮物がすぐに使用できる状態とされる。
【００１７】
アルカノールアミン
本発明の実施にて用いられるアルカノールアミンは、モノアミンであり、すなわち、各々が１つの窒素原子を含有する。本発明の実施にて用いられるアルカノールアミンはまた、エチレンもしくは置換エチレンブリッジで分離された少なくとも１つの酸素原子も含有する。この構造は、エタノールアミンの基本構造と同じであり、エチレンジアミンなどのキレート剤の構造に類似している。この構造により、アルカノールアミンは金属とキレート形成することができる。エタノールアミンおよびエチレンジアミンとは異なり、本発明の各アルカノールアミンは、かなりかさ高い有機構造も有している。キレート剤構造および疎水性基のこの組み合わせにより、アルカノールアミンは、汚れの中の金属とキレート形成してそれを水系にて乳化することができるものであり、そのことによって効果的な洗浄剤となっている。これらは、ケイ酸マグネシウムおよびケイ酸アルミニウムなどの無機微粒子の除去に特に適している。
【００１８】
本発明の実施にて用いられるアルカノールアミンは、トリス（ヒドロキシメチル）アミノメタン（ＣＡＳ：７７−８６−１）、２−アミノ−２−メチル−１，３−プロパンジオール（ＣＡＳ：１１５−６９−５）、２−アミノ−２−エチル−１，３−プロパンジオール（ＣＡＳ：１１５−７０−８）、Ｎ，Ｎ−ジメチルアミノ−２−メチル−１−プロパノール（ＣＡＳ：７００５−４７−２）、および３−アミノ−４−オクタノール（ＣＡＳ：１００１３５４−７２−８）からなる群より選択される。好ましいアルカノールアミンは、トリス（ヒドロキシメチル）アミノメタン、２−アミノ−２−エチル−１，３−プロパンジアミン、および３−アミノ−４−オクタノールであり、より好ましいアルカノールアミンは、トリス（ヒドロキシメチル）アミノメタンおよび３−アミノ−４−オクタノールである。これらのアルカノールアミンは、単独で用いても、または互いの数多くの組み合わせのいずれか１つで用いてもよい。本発明の実施にて用いられるアルカノールアミンの１つ以上は、中でも、ダウケミカル社、ＡＮＧＵＳケミカル社（ダウケミカル社の完全子会社）、およびＴＣＩアメリカから入手可能である。
【００１９】
本発明の硬質表面洗浄組成物に用いられるアルカノールアミンの量は、様々であってよいが、典型的には、最少量は、洗浄組成物の質量に対して、少なくとも０．０１質量％、より典型的には、少なくとも０．２質量％、さらにより典型的には、０．５質量％である。洗浄組成物中のアルカノールアミンの最大量に関する唯一の制限は、通常、経済面および／または性能についての利益の減少であり、典型的には、洗浄組成物中のアルカノールアミンの最大量は、洗浄組成物の質量に対して、５質量％を超えず、より典型的には、２質量％を超えず、さらにより典型的には、１質量％を超えない。
【００２０】
界面活性剤
本発明の洗浄組成物は、非イオン性、アニオン性、カチオン性、両性（ampholytic）、両性（amphoteric）、および双性イオン性の界面活性剤から選択される１つ以上の界面活性剤を含有する。アニオン性、両性、および双性イオン性のクラス、ならびにこれらの界面活性剤種の典型的なリストは、米国特許第３，９２９，６７８号に記載されている。適切なカチオン性界面活性剤のリストは、米国特許第４，２５９，２１７号に記載されている。界面活性剤は、０．１〜９０、または０．１〜７０、または０．１〜５０、または０．１〜２５、または０．１〜１０、または０．１〜８．０、または０．１〜７、または０．１〜６．０、または０．１〜５．０、または０．１〜４．０、または０．１〜３．０、または０．１〜２．０、または０．１〜１．０パーセントのレベルで存在する。
【００２１】
洗浄組成物は、アニオン性界面活性剤を含んでいてよい。洗浄目的に有用である本質的にいかなるアニオン性界面活性剤も、本洗浄組成物に用いてよい。これらは、アニオン性サルフェート、スルホネート、カルボキシレート、およびサルコシネートの塩（例えば、ナトリウム、カリウム、アンモニウム、ならびにモノ−、ジ−、およびトリ−エタノールアミン塩などの置換アンモニウム塩を含む）の界面活性剤を含み得る。アニオン性界面活性剤は、スルホネートまたはサルフェート界面活性剤を含んでよい。アニオン性界面活性剤は、本明細書で述べるように、アルキルサルフェート、直鎖状もしくは分岐鎖状アルキルベンゼンスルホネート、またはアルキルジフェニルオキシドジスルホネートを含んでよい。
【００２２】
その他のアニオン性界面活性剤としては、アシルイセチオネートなどのイセチオネート、Ｎ−アシルタウレート、メチルタウリド（methyl tauride）の脂肪酸アミド、アルキルスクシネートおよびスルホスクシネート、スルホスクシネートのモノエステル（例えば、飽和および不飽和Ｃ12−Ｃ18モノエステル）、スルホスクシネートのジエステル（例えば、飽和および不飽和Ｃ6−Ｃ14ジエステル）、Ｎ−アシルサルコシネートが挙げられる。樹脂酸および水素化樹脂酸も適しており、ロジン、水素化ロジン、ならびにタロー油中に存在するかまたはそれに由来する樹脂酸および水素化樹脂酸などである。本発明での使用に適するアニオン性サルフェート界面活性剤としては、直鎖状および分岐鎖状の一級および二級アルキルサルフェート、アルキルエトキシサルフェート、脂肪オレオイルグリセロールサルフェート、アルキルフェノールエチレンオキシドエーテルサルフェート、Ｃ5−Ｃ17アシル−Ｎ−（Ｃ1−Ｃ4アルキル）および−Ｎ−（Ｃ1−Ｃ2ヒドロキシアルキル）グルカミンサルフェート、ならびにアルキルポリグルコシドのサルフェートなどのアルキルポリサッカリドのサルフェートが挙げられる（非イオン性非硫酸化化合物は本明細書にて記載される）。アルキルサルフェート界面活性剤は、直鎖状および分岐鎖状一級Ｃ10−Ｃ18アルキルサルフェート、Ｃ11−Ｃ15分岐鎖状アルキルサルフェート、またはＣ12−Ｃ14直鎖状アルキルサルフェートから選択してよい。
【００２３】
アルキルエトキシサルフェート界面活性剤は、１モルあたり０．５〜２０モルのエチレンオキシドでエトキシル化されたＣ10−Ｃ18アルキルサルフェートからなる群より選択してよい。アルキルエトキシサルフェート界面活性剤は、１モルあたり０．５〜７、または１〜５モルのエチレンオキシドでエトキシル化されたＣ11−Ｃ18またはＣ11−Ｃ15アルキルサルフェートであってよい。本発明の１つの態様は、アルキルサルフェートおよび／またはスルホネート、ならびにアルキルエトキシサルフェート界面活性剤の混合物を用いる。そのような混合物は、国際公開第９３／１８１２４号に開示されている。
【００２４】
本発明の洗浄組成物での使用に適するアニオン性スルホネート界面活性剤としては、Ｃ5−Ｃ20直鎖状アルキルベンゼンスルホネート、アルキルエステルスルホネート、Ｃ6−Ｃ22一級もしくは二級アルカンスルホネート、Ｃ6−Ｃ24オレフィンスルホネート、スルホン化ポリカルボン酸、アルキルグリセロールスルホネート、脂肪アシルグリセロールスルホネート、脂肪オレイルグリセロールスルホネートの塩、およびこれらのいずれかの混合物が挙げられる。適切なアニオン性カルボキシレート界面活性剤としては、アルキルエトキシカルボキシレート、アルキルポリエトキシポリカルボキシレート界面活性剤、およびセッケン（「アルキルカルボキシル」）、特に本明細書で述べるように特定の二級セッケン（secondary soap）、が挙げられる。適切なアルキルエトキシカルボキシレートとしては、式ＲＯ（ＣＨ2ＣＨ2Ｏ）xＣＨ2ＣＯＯ-Ｍ+を有するものが挙げられ、式中、Ｒは、Ｃ6〜Ｃ18アルキル基であり、ｘは、０〜１０の範囲であって、エトキシレート分布は、質量基準で、ｘが０である物質の量が２０％未満であるような分布であり、ならびにＭは、カチオンである。適切なアルキルポリエトキシポリカルボキシレート界面活性剤としては、式ＲＯ−（ＣＨＲ1ＣＨＲ2−Ｏ）−Ｒ3を有するものが挙げられ、式中、Ｒは、Ｃ6〜Ｃ18アルキル基であり、ｘは、１〜２５であり、Ｒ1およびＲ2は、水素、メチル酸ラジカル、コハク酸ラジカル、ヒドロキシコハク酸ラジカル、およびこれらの混合からなる群より選択され、ならびにＲ3は、水素、１〜８個の炭素原子を有する置換もしくは無置換炭化水素、およびこれらの混合からなる群より選択される。
【００２５】
適切なセッケン界面活性剤としては、二級セッケン界面活性剤が挙げられ、これは、二級炭素に結合したカルボキシルユニットを含有する。本発明での使用に適する二級セッケン界面活性剤としては、２−メチル−１−ウンデカン酸、２−エチル−１−デカン酸、２−プロピル−１−ノナン酸、２−ブチル−１−オクタン酸、および２−ペンチル−１−ヘプタン酸の水溶性塩からなる群より選択される水溶性メンバーである。特定のセッケンはまた、抑泡剤として含まれる場合もある。
【００２６】
その他の適切なアニオン性界面活性剤は、式Ｒ−ＣＯＮ（Ｒ1）ＣＨ−）ＣＯＯＭのアルカリ金属サルコシネートであり、式中、Ｒは、Ｃ5−Ｃ17直鎖状もしくは分岐鎖状アルキルまたはアルケニル基であり、Ｒ1は、Ｃ1−Ｃ4アルキル基であり、Ｍは、アルカリ金属イオンである。例としては、ナトリウム塩の形態のミリスチルおよびオレオイルメチルサルコシネートである。
【００２７】
その他の適切な界面活性剤としては、脂肪酸およびサルコシン（アミノ酸）から誘導される温和な（mild）生分解性アニオン性界面活性剤である脂肪酸サルコシネートが挙げられる。サルコシンは、グリシンのＮ−メチル誘導体である。サルコシンは、筋肉およびその他の組織中に見られる天然アミノ酸である。サルコシンは、コリンからグリシンへの代謝の中間体として天然に見出される。好ましい実施形態では、サルコシンは、アシルサルコシンである。アシルサルコシンの例としては、これらに限定されないが、修飾脂肪酸であるココイルサルコシン、ラウロイルサルコシン、ミリストイルサルコシン、オレオイルサルコシン、ステアロイルサルコシンが挙げられる。アシルサルコシンの塩は、アシルサルコシネートと称される。本発明で有用であるアシルサルコシネートとしては、例えば、式：ＲＣＯＮ（ＣＨ3）ＣＨ2ＣＯＯＸを有するものが挙げられ、式中、Ｒは、８〜２２個の炭素原子を、好ましくは１２〜１８個の炭素原子を、より好ましくは１２〜１４個の炭素原子を有するアルキルまたはアルケニルであり、ならびに、Ｘは、ナトリウム、カリウム、アンモニウム、またはトリエタノールアミンである。
【００２８】
本発明で用いることができるアシルサルコシネートの例としては、これらに限定されないが、ナトリウムコシル（coccyl）サルコシネート、ナトリウムラウロイルサルコシネートおよびナトリウムミリストイルサルコシネート、ナトリウムオレオイルサルコシネート、ナトリウムステアロイルサルコシネート、アンモニウムコシルサルコシネート、アンモニウムラウロイルサルコシネートおよびアンモニウムミリストイルサルコシネート、アンモニウムオレオイルサルコシネート、ならびにアンモニウムステアロイルサルコシネートが挙げられる。市販の好ましいアシルサルコシネートとしては、これらに限定されないが、例えば、ハンプシャーケミカルズ（Hampshire Chemicals）から入手可能であるＨａｍｐｏｓｙｌ（登録商標）Ｌ３０の商品名を有するナトリウムラウロイルサルコシネート、およびこれもハンプシャーケミカルズから入手可能であるＨａｍｐｏｓｙｌ（登録商標）Ｃ３０の商品名を有するナトリウムココイルサルコシネートが挙げられる。
【００２９】
その他の適切な界面活性剤としては、高級アルコールを有するか、またはアルキル基が通常は１０〜１８個の炭素原子の範囲である脂肪アルコールサルフェートが挙げられる。カチオンは、ほとんど例外なくナトリウムであるか、またはナトリウムを含むが、トリエタノールアミン、カリウム、アンモニウム、マグネシウム、およびカルシウムなどのその他のカチオンも含まれる。好ましい脂肪アルコールサルフェートは、脂肪アルコールが、本質的に飽和であり、炭素含有量が１０〜１８炭素原子の範囲内、好ましくは、１２〜１６など、１０もしくは１２〜１４もしくは１６炭素原子のものであるか、または、ココナッツ油（ココ）、パーム油、もしくはパーム核油から誘導されるものである。ラウリルサルフェート、および特にナトリウムラウリルサルフェートは、好ましい一級洗浄剤であるが、そのような名称はまた、アルコールの炭素鎖長が１２炭素原子に限定されず、主として（５０％超、通常は７０または７５％超）１２〜１４炭素原子であるそのような洗浄剤にも適用してよい。
【００３０】
本発明での使用に適する両性界面活性剤としては、アミンオキシド界面活性剤およびアルキル両性カルボン酸（alkyl amphocarboxylic acids）が挙げられる。適切なアミンオキシドとしては、式Ｒ3（ＯＲ4）xＮＯ（Ｒ5）2を有する化合物が挙げられ、式中、Ｒ3は、８〜２６個の炭素原子を含有するアルキル、ヒドロキシアルキル、アシルアミドプロピル、およびアルキルフェニル基、またはこれらの混合から選択され、Ｒ4は、２〜３個の炭素原子を含有するアルキレンもしくはヒドロキシアルキレン基、またはこれらの混合であり、ｘは、０〜５、好ましくは、０〜３であり、ならびに、各Ｒ5は、１〜３個を含有するアルキルもしくはヒドロキシアルキル基、または１〜３個のエチレンオキシド基を含有するポリエチレンオキシド基である。適切なアミンオキシドは、Ｃ10−Ｃ18アルキルジメチルアミンオキシド、およびＣ10-18アシルアミドアルキルジメチルアミンオキシドである。アルキル両性ジカルボン酸の１つの適切な例は、ミラノール社（Miranol, Inc.），デイトン，ニュージャージー州、によって製造されているＭｉｒａｎｏｌ（商標）Ｃ２Ｍ  Ｃｏｎｃ．である。
【００３１】
双性イオン性界面活性剤もまた、洗浄組成物中に組み込んでよい。これらの界面活性剤は、二級および三級アミンの誘導体、ヘテロ環式二級および三級アミンの誘導体、または四級アンモニウム、四級ホスホニウム、もしくは三級スルホニウム化合物の誘導体として広く記述することができる。ベタインおよびスルタイン界面活性剤は、代表的な双性イオン性界面活性剤である。
【００３２】
適切なベタインは、式Ｒ（Ｒ1）2Ｎ+Ｒ2ＣＯＯ-を有する化合物であり、式中、Ｒは、Ｃ6−Ｃ18ハイドロカルビル基であり、各Ｒ1は、通常、Ｃ1−Ｃ3アルキルであり、およびＲ2は、Ｃ1−Ｃ5ハイドロカルビル基である。適切なベタインは、Ｃ12-18ジメチル−アンモニオヘキサノエートおよびＣ10-18アシルアミドプロパン（もしくはエタン）ジメチル（もしくはジエチル）ベタインである。複雑なベタイン界面活性剤も、本発明での使用に適している。
【００３３】
本発明での使用に適するカチオン性界面活性剤としては、四級アンモニウム界面活性剤が挙げられる。四級アンモニウム界面活性剤は、モノＣ6−Ｃ16もしくはＣ6−Ｃ10Ｎ−アルキルまたはアルケニルアンモニウム界面活性剤であり、ここで、残りのＮ位は、メチル、ヒドロキシエチル、またはヒドロキシプロピル基で置換されている。モノアルコキシル化およびビスアルコキシル化アミン界面活性剤も適している。さらなる適切なカチオン性界面活性剤としては、ココ脂肪酸ジエタノールアミン、水素化パームティーエステルクワット（palm tea ester quat）、およびカチオン性エトキシル化脂肪酸が挙げられる。
【００３４】
洗浄組成物に用いてよい別の適切なカチオン性界面活性剤の群は、カチオン性エステル界面活性剤である。カチオン性エステル界面活性剤は、界面活性剤特性を有し、少なくとも１つのエステル（すなわち、−ＣＯＯ−）結合および少なくとも１つのカチオン性荷電基を含む化合物である。コリンエステル界面活性剤を含む適切なカチオン性エステル界面活性剤は、例えば、米国特許第４，２２８，０４２号、同第４，２３９，６６０号、および同第４，２６０，５２９号に開示されている。エステル結合およびカチオン性荷電基は、少なくとも３つの原子（すなわち、３原子鎖長）、または３〜８個の原子、または３〜５個の原子、または３つの原子を含む鎖からなるスペーサー基によって、界面活性剤分子内で互いに分離されていてよい。スペーサー基の鎖を形成する原子は、炭素、窒素、および酸素原子、ならびにこれらのいずれかの混合からなる群より選択されるが、ただし、前記鎖中のいずれの窒素または酸素原子も、その鎖中の炭素原子とのみ結合している。従って、例えば、−Ｏ−Ｏ−（すなわち、ペルオキシド）、−Ｎ−Ｎ−、および−Ｎ−Ｏ−結合を有するスペーサー基は、除外され、例えば、−ＣＨ2−Ｏ−、ＣＨ2−、および−ＣＨ2−ＮＨ−ＣＨ2−結合を有するスペーサー基は、含まれる。スペーサー基の鎖は、炭素原子のみを含んでいてよく、またはこの鎖は、ハイドロカルビル鎖である。
【００３５】
洗浄組成物は、カチオン性モノアルコキシル化アミン界面活性剤を含んでよく、例えば、一般式：Ｒ1Ｒ2Ｒ3Ｎ+ＡｐＲ4Ｘ-のものであり、式中、Ｒ1は、約６〜約１８個の炭素原子、もしくは６〜約１６個の炭素原子、もしくは約６〜約１４個の炭素原子を含有するアルキルまたはアルケニル部分であり、Ｒ2およびＲ3は、各々独立して、１〜約３個の炭素原子を含有するアルキル基であり、例えば、メチルであり、例えば、Ｒ2およびＲ3の両方がメチル基であり、Ｒ4は、水素、メチル、およびエチルから選択され、Ｘ-は、電気的中性を提供するためのクロリド、ブロミド、メチルサルフェート、サルフェートなどのアニオンであり、Ａは、アルコキシ基、特にエトキシ、プロポキシ、またはブトキシ基であり、ならびに、ｐは、０〜３０、または２〜１５、または２〜８である。式中のＡｐＲ4基は、ｐ＝１を有してよく、６個以下の炭素原子を有するヒドロキシアルキル基であり、ここで、−ＯＨ基は、３個以下の炭素原子によって四級アンモニウム窒素原子から分離されている。適切なＡｐＲ4基は、−ＣＨ2ＣＨ2−ＯＨ、−ＣＨ2ＣＨ2ＣＨ2−ＯＨ、−ＣＨ2ＣＨ（ＣＨ3）−ＯＨ、および−ＣＨ（ＣＨ3）ＣＨ2−ＯＨである。適切なＲ1基は、直鎖状アルキル基であり、例えば、８〜１４個の炭素原子を有する直鎖状Ｒ1基である。
【００３６】
本発明での使用に適するカチオン性モノアルコキシル化アミン界面活性剤は、式Ｒ1（ＣＨ3）（ＣＨ3）Ｎ+（ＣＨ2ＣＨ2Ｏ）2-5ＨＸ-のものであり、式中、Ｒ1は、Ｃ10−Ｃ18ハイドロカルビルおよびその混合、特に、Ｃ10−Ｃ14アルキル、またはＣ10およびＣ12アルキルであり、ならびにＸは、荷電のバランスを提供するいずれかの都合の良いアニオン、例えば、クロリドまたはブロミドである。
【００３７】
記載のように、前述のタイプの化合物は、エトキシ（ＣＨ2ＣＨ2Ｏ）ユニット（ＥＯ）が、ブトキシ、イソプロポキシ［ＣＨ（ＣＨ3）ＣＨ2Ｏ）］および［ＣＨ2ＣＨ（ＣＨ3）Ｏ）］ユニット（ｉ−Ｐｒ）、もしくはｎ−プロポキシユニット（Ｐｒ）、またはＥＯおよび／もしくはＰｒおよび／もしくはｉ−Ｐｒユニットの混合に置き換えられたものも含む。
【００３８】
カチオン性ビスアルコキシル化アミン界面活性剤は、一般式：Ｒ1Ｒ2Ｎ+ＡｐＲ3Ａ′ｑＲ4Ｘ-を有し得るものであり、式中、Ｒ1は、約８〜約１８個の炭素原子、もしくは１０〜約１６個の炭素原子、もしくは約１０〜約１４個の炭素原子を含有するアルキルまたはアルケニル部分であり、Ｒ2は、１〜約３個の炭素原子を含有するアルキル基、例えば、メチルであり、Ｒ3およびＲ4は、独立して異なっていてよく、水素、メチル、およびエチルから選択され、Ｘ-は、電気的中性を提供するためのクロリド、ブロミド、メチルサルフェート、サルフェートなどのアニオンである。ＡおよびＡ′は、独立して異なっていてよく、各々、Ｃ1−Ｃ4アルコキシから選択され、例えば、エトキシ（すなわち、−ＣＨ2ＣＨ2Ｏ−）、プロポキシ、ブトキシ、およびこれらの混合であり、ｐは、１〜約３０、または１〜約４であり、ならびにｑは、１〜約３０、もしくは１〜約４であり、またはｐおよびｑの両方が１である。
【００３９】
本発明での使用に適するカチオン性ビスアルコキシル化アミン界面活性剤は、式Ｒ1ＣＨ3Ｎ+（ＣＨ2ＣＨ2ＯＨ）（ＣＨ2ＣＨ2ＯＨ）Ｘ-のものであり、式中、Ｒ1は、Ｃ10−Ｃ18ハイドロカルビルおよびその混合、またはＣ10、Ｃ12、Ｃ14アルキルおよびその混合であり、Ｘ-は、荷電のバランスを提供するいずれかの都合の良いアニオン、例えば、クロリドである。上述のカチオン性ビスアルコキシル化アミン界面活性剤の一般構造に関して、１つの例示化合物では、Ｒ1が、（ココナッツ）Ｃ12−Ｃ14アルキル部分の脂肪酸から誘導されることから、Ｒ2は、メチルであり、ＡｐＲ3およびＡ′ｑＲ4は、各々、モノエトキシである。
【００４０】
本発明で有用であるその他のカチオン性ビスアルコキシル化アミン界面活性剤は、式Ｒ1Ｒ2Ｎ+−（ＣＨ2ＣＨ2Ｏ）pＨ−（ＣＨ2ＣＨ2Ｏ）qＨＸ-の化合物が挙げられ、式中、Ｒ1は、Ｃ10−Ｃ18ハイドロカルビル、またはＣ10−Ｃ14アルキルであり、独立して、ｐは、１〜約３であり、およびｑは、１〜３であり、Ｒ2は、Ｃ1−Ｃ3アルキル、例えばメチルであり、ならびにＸ-は、アニオン、例えば、クロリドまたはブロミドである。
【００４１】
前述のタイプのその他化合物は、エトキシ（ＣＨ2ＣＨ2Ｏ）ユニット（ＥＯ）が、ブトキシ（Ｂｕ）、イソプロポキシ［ＣＨ（ＣＨ3）ＣＨ2Ｏ）］および［ＣＨ2ＣＨ（ＣＨ3）Ｏ）］ユニット（ｉ−Ｐｒ）、もしくはｎ−プロポキシユニット（Ｐｒ）、またはＥＯおよび／もしくはＰｒおよび／もしくはｉ−Ｐｒユニットの混合に置き換えられたものも含む。
【００４２】
本発明の洗浄組成物は、場合によってはさらなる洗浄界面活性剤を含まない組成物である本明細書で教示される水性組成物、もしくはさらなる有機溶媒、もしくはこれらの両方に可溶性または分散性である、非イオン性フッ素系界面活性剤、カチオン性フッ素系界面活性剤、およびこれらの混合物から選択される少なくとも１つのフッ素系界面活性剤を含んでよい。適切な非イオン性フッ素系界面活性剤化合物は、商品名Ｆｌｕｏｒａｄ（登録商標）（例：３Ｍコーポレーション）で現在市販されている物質の中から見出される。代表的なフッ素系界面活性剤としては、フッ素化アルキルエステルであるとして一般的には記載されるＦｌｕｏｒａｄ（登録商標）ＦＣ−７４０、フッ素化アルキルエステルであるとして一般的には記載されるＦｌｕｏｒａｄ（登録商標）ＦＣ−４３０、フッ素化アルキルエステルであるとして一般的には記載されるＦｌｕｏｒａｄ（登録商標）ＦＣ−４３１、およびフッ素化アルキルポリオキシエチレンエタノールであるとして一般的には記載されるＦｌｕｏｒａｄ（登録商標）ＦＣ−１７０−Ｃとして販売されているものが挙げられる。
【００４３】
適切なカチオン性フッ素系界面活性剤化合物の例は、以下の構造：ＣnＦ2n+1ＳＯ2ＮＨＣ3Ｈ6Ｎ+（ＣＨ3）3Ｉ-を有し、式中、ｎは約８である。このカチオン性フッ素系界面活性剤は、３Ｍより、Ｆｌｕｏｒａｄ（登録商標）ＦＣ−１３５の商品名で入手可能である。適切なカチオン性フッ素系界面活性剤の別の例は、Ｆ3−（ＣＦ2）n−（ＣＨ2）mＳＣＨ2ＣＨＯＨ−ＣＨ2−Ｎ+Ｒ1Ｒ2Ｒ3Ｃｌ-であり、式中：ｎは、５〜９であり、ｍは、２であり、Ｒ1、Ｒ2、およびＲ3は、−ＣＨ3である。このカチオン性フッ素系界面活性剤は、ＺＯＮＹＬ（登録商標）ＦＳＤの商品名で入手可能である（デュポンより入手可能、２−ヒドロキシ−３−（（ガンマ−オメガ−パーフルオロ−Ｃ6-20−アルキル）チオ）−Ｎ，Ｎ，Ｎ−トリメチル−１−プロピルアンモニウムクロリドとして記載）。本発明での使用に適するその他のカチオン性フッ素系界面活性剤は、Leach and Niwataへ付与された欧州特許第８６６，１１５号にも記載されている。非イオン性フッ素系界面活性剤、カチオン性フッ素系界面活性剤、およびこれらの混合物の群から選択されるフッ素系界面活性剤は、０．００１〜５質量％、好ましくは、０．０１〜１質量％、より好ましくは、０．０１〜０．５質量％の量で存在してよい。
【００４４】
洗浄組成物は、非イオン性界面活性剤を含んでよい。本質的にいかなるアルコキシル化非イオン性界面活性剤も、本発明に適しており、例えば、エトキシル化およびプロポキシル化非イオン性界面活性剤である。アルコキシル化界面活性剤は、非イオン性エトキシル化アルコール、非イオン性エトキシル化／プロポキシル化脂肪アルコール、プロピレングリコールとの非イオン性エトキシレート／プロポキシレート縮合物、およびプロピレンオキシド／エチレンジアミン付加体との非イオン性エトキシレート縮合生成物のクラスから選択することができる。
【００４５】
脂肪族アルコールと、１〜２５モルのアルキレンオキシド、特にエチレンオキシドおよび／またはプロピレンオキシドとの縮合生成物は、本発明での使用に適している。脂肪族アルコールのアルキル鎖は、直鎖状または分岐鎖状、一級または二級のいずれかであってよく、一般的には、６〜２２個の炭素原子を含有する。８〜２０個の炭素原子を含有するアルキル基を有するアルコールと、アルコール１モルあたり２〜１０モルのエチレンオキシドとの縮合生成物も適している。
【００４６】
本発明での使用に適するポリヒドロキシ脂肪酸アミドは、構造式Ｒ2ＣＯＮＲ1Ｚを有するものであり、式中：Ｒ1は、Ｈ、Ｃ1−Ｃ4ハイドロカルビル、２−ヒドロキシエチル、２−ヒドロキシプロピル、エトキシ、プロポキシ、またはこれらの混合であり、例えば、Ｃ1−Ｃ4アルキル、またはＣ1もしくはＣ2アルキルであり、および、Ｒ2は、Ｃ5−Ｃ31ハイドロカルビルであり、例えば、直鎖状Ｃ5−Ｃ19アルキルもしくはアルケニル、または直鎖状Ｃ9−Ｃ17アルキルもしくはアルケニル、または直鎖状Ｃ11−Ｃ17アルキルもしくはアルケニル、またはこれらの混合であり、およびＺは、少なくとも３つのヒドロキシルが鎖に直接結合した直鎖状ハイドロカルビル鎖を有するポリヒドロキシハイドロカルビル、またはそのアルコキシル化誘導体（例えば、エトキシル化またはプロポキシル化）である。Ｚは、還元性アミノ化反応における還元糖から誘導してよく、例えば、Ｚは、グリシチル（glycityl）である。
【００４７】
適切な脂肪酸アミド界面活性剤としては、式：Ｒ1ＣＯＮ（Ｒ2）2を有するものが挙げられ、式中、Ｒ1は、７〜２１個、または９〜１７個の炭素原子を含有するアルキル基であり、ならびに各Ｒ2は、水素、Ｃ1−Ｃ4アルキル、Ｃ1−Ｃ4ヒドロキシアルキル、および−（Ｃ2Ｈ4Ｏ）xＨからなる群より選択され、ここでｘは、１〜３の範囲内である。
【００４８】
溶媒
エチレンオキシド系またはプロピレンオキシド系グリコールエーテルなどのいずれの水混和性溶媒も、本発明の実施に用いてよい。洗浄組成物は、エタノール、ソルビトール、グリセロール、プロピレングリコール、および１，３−プロパンジオールなどの有機溶媒を、限定された量で含有していてよく、例えば、１０％未満または５％未満である。糖アルコールが、本発明に適切であり得る。糖アルコールとしては、これらに限定されないが、ソルビトール、キシリトール、ラクチトール、マルチトール、マンニトール、イソマルト、エリスリトール、およびこれらの混合物が挙げられる。一価アルコールも、本発明に適切であり得る。一価アルコールとしては、これらに限定されないが、エタノール、メタノール、イソプロパノール、ｎ−プロパノール、およびブタノール、ｔ−ブタノール、ならびにこれらの混合物が挙げられる。ポリオールも、本発明に適切である。ポリオールとしては、これらに限定されないが、１，３−プロパンジオール、１，３−プロパントリオール、およびプロピレングリコール、ならびにこれらの混合物が挙げられる。脂肪酸メチルエステルも、本発明に適切であり得る。脂肪酸メチルエステルとしては、これらに限定されないが、アルキル化メチルエステル（通常は少なくとも１８個の炭素原子のもの）、ダイズ由来脂肪酸メチルエステル、およびカノーラ由来脂肪酸メチルエステルが挙げられる。プロパノールおよびグリセロールを例とする短鎖アルコールも、本発明に適している。アロエ葉抽出物およびｄ−リモニンも、本発明に適した溶媒である。加えて、天然由来トリグリセリドおよびラクテートエステルソルビトールも、本発明に適した溶媒である。本発明は、Ｃ1-6アルカノール、その他のＣ1-6ジオール、アルキレングリコールのＣ1-10アルキルエーテル、Ｃ3-24アルキレングリコールエーテル、ポリアルキレングリコール、短鎖エステル、イソパラフィン系炭化水素、ミネラルスピリット、アルキル芳香族、テルペン、テルペン誘導体、テルペノイド、テルペノイド誘導体、ホルムアルデヒド、およびピロリドンなどの溶媒を含有してよい。
【００４９】
ＬＶＰ適用除外規定（LVP exemption rule）を満たす溶媒、すなわち、蒸気圧が２０℃において０．１ｍｍ未満であり、環境配慮設計（Design for the Environment）（ＤｆＥ）に準拠するものが好ましい。既にＤｆＥに指定されているグリコールエーテル溶媒は、ＤＯＷＡＮＯＬ  ＰｎＢ（ＶＯＣ）（プロピレングリコールｎ−ブチルエーテル  ＣＡＳ  ５１３１−６６−８）、ＤＯＷＡＮＯＬ  ＰｎＰ（ＶＯＣ）（プロピレングリコールｎ−プロピルエーテル  ＣＡＳ  １５６９−０１−３）、ＤＯＷＡＮＯＬ  ＤＰＭ（ＶＯＣ）（ジプロピレングリコールメチルエーテル  ＣＡＳ  ３４５９０−９４−８）、ＤＯＷＡＮＯＬ  ＤＰｎＰ（ジプロピレングリコールプロピルエーテル  ＣＡＳ  ２９９１１−２７−１）、ＤＯＷＡＮＯＬ  ＤＰｎＢ（ジプロピレングリコールｎ−ブチルエーテル  ＣＡＳ  ３５８８４−４２−５）、ＤＯＷＡＮＯＬ  ＴＰｎＢ（トリプロピレングリコールｎ−ブチルエーテル  ＣＡＳ  ５５９３４−９３−５）、ＤＯＷＡＮＯＬ  ＴＰＭ（トリプロピレングリコールメチルエーテル、ＣＡＳ  ２４５９８−４９−１）である。
【００５０】
適切には、溶媒は、洗浄組成物中にて、０．１〜１０質量パーセント、または０．１〜５．０質量パーセント、または０．１〜４．０質量パーセント、または０．１〜３．０質量パーセント、または０．１〜２．０質量パーセント、または０．１〜１．０質量パーセント、または０．５〜５．０質量パーセント、または０．５〜４．０質量パーセント、または０．５〜３．０質量パーセント、または０．５〜２．０質量パーセント、または０．５〜１．０質量パーセントの範囲の量で存在する。
【００５１】
水
本発明の硬質表面洗浄組成物は、水性組成物であり、水は主成分であり、例えば、水は、典型的には、組成物の少なくとも５０、より典型的には、少なくとも８０、さらにより典型的には、少なくとも９０質量パーセントを占める。水は、典型的には、９９．５％未満、より典型的には、９９％未満、さらにより典型的には、９８％未満のレベルで存在する。脱イオン水が好ましい。洗浄組成物が濃縮される場合は、水は、８５質量％未満の濃度で組成物中に存在してよい。
【００５２】
所望に応じて含んでよい成分
アルカノールアミン、界面活性剤、溶媒、および水に加えて、本発明の洗浄組成物は、当業者に公知の様々な所望に応じて含んでよい成分の１つ以上を含んでよい。これらの所望に応じて含んでよい成分としては、これらに限定されないが、アルカリ性剤、ビルダー、香料、保存剤、殺生物剤、着色剤、染料、およびレオロジー改質剤が挙げられる。これらの所望に応じて含んでよい成分は、公知の量にて、公知の方法で用いられる。
【００５３】
適切なアルカリ性剤としては、これらに限定されないが、アルカリ金属水酸化物、ならびにモノエタノールアミン、ジエタノールアミン、モノイソプロパノールアミン、ジイソプロパノールアミン、およびトリイソプロパノールアミンを含むアルカノールアミン（上述の本発明の洗浄組成物中の成分（Ｃ）として識別されるもの以外）が挙げられる。存在する場合、アルカリ性剤は、通常、洗浄組成物の０．１〜５質量％の量で存在する。
【００５４】
実際に存在する場合、本発明の洗浄組成物は、少なくとも０．２質量％、好ましくは０．２質量％超のビルダーを含有する。適切には、ビルダーは、洗浄組成物中に、０．２〜５質量パーセント、または０．２〜４質量パーセント未満、または０．２〜０．３質量パーセント、または０．２〜２質量パーセント、または０．２〜１質量パーセントの範囲の量で存在する。
【００５５】
ビルダーはまた、洗浄組成物中にて、軟化剤、金属イオン封鎖剤、緩衝剤、またはｐＨ調節剤として機能し得る。種々のビルダーまたは緩衝剤を用いてよく、それらとしては、これらに限定されないが、ホスフェート−シリケート化合物、ゼオライト、アルカリ金属、アンモニウムおよび置換アンモニウムポリアセテート、ニトリロ三酢酸のトリアルカリ塩、カルボキシレート、ポリカルボキシレート、カーボネート、バイカーボネート、ポリホスフェート、アミノポリカルボキシレート、ポリヒドロキシ−スルホネート、ならびにデンプン誘導体が挙げられる。用いられる場合、ビルダーとしては、これらに限定されないが、有機酸、無機酸、シリケートのアルカリ金属およびアルカリ土類塩、メタシリケート、ポリシリケート、ボレート、ヒドロキシド、カーボネート、カルバメート、ホスフェート、ポリホスフェート、ピロホスフェート、トリホスフェート、テトラホスフェート、アンモニア、ヒドロキシド、モノエタノールアミン、モノプロパノールアミン、ジエタノールアミン、ジプロパノールアミン、トリエタノールアミン、および２−アミノ−２−メチルプロパノールが挙げられる。
【００５６】
本発明の組成物のための好ましい緩衝剤は、窒素含有物質である。いくつかの例は、リジンなどのアミノ酸、またはモノ−、ジ−、およびトリ−エタノールアミンのような低級アルコールアミンである。その他の好ましい窒素含有緩衝剤は、グルタミン酸二ナトリウム、Ｎ−メチルジエタノールアミド、１，３−ビス（メチルアミン）−シクロヘキサン、１，３−ジアミノ−プロパノール−Ｎ，Ｎ′−テトラ−メチル−１，３−ジアミノ−２−プロパノール、Ｎ，Ｎ−ビス（２−ヒドロキシエチル）−グリシン（ビシン）、およびＮ−トリス（ヒドロキシ−メチル）メチルグリシン（トリシン）である。その他の適切な緩衝剤としては、アンモニウムカルバメート、クエン酸、および酢酸が挙げられる。上記のいずれかの混合物も許容される。有用な無機緩衝剤／アルカリ性源としては、アンモニア、炭酸アルカリ金属塩、およびリン酸アルカリ金属塩が挙げられ、例えば、炭酸ナトリウム、ポリリン酸ナトリウムである。さらなる緩衝剤は、国際公開第９５／０７９７１号に記載されている。その他の好ましいｐＨ調節剤としては、水酸化ナトリウムまたはカリウムが挙げられる。シリケートの用語は、シリケート、メタシリケート、ポリシリケート、アルミノシリケート、および類似の化合物を包含することを意図している。
【００５７】
洗浄組成物は、所望に応じて、染料、着色剤、および保存剤を含有してよく、またはこれらの成分の１つ以上を含有してよく、またはこれらの成分を含有しなくてもよい。このような染料、着色剤、および保存剤は、天然であっても、または合成であってもよい。天然の保存剤としては、ベンジルアルコール、ソルビン酸カリウム、およびビサボロール、安息香酸ナトリウムおよび２−フェノキシエタノールが挙げられる。用いられる場合、保存剤としては、これらに限定されないが、静カビ剤（mildewstat）または静菌剤、メチル、エチル、およびプロピルパラベン、短鎖有機酸（例：酢酸、酪酸、および／またはグリコール酸）、ビスグアニジン化合物（例：Ｄａｎｔａｇａｒｄおよび／またはＧｌｙｄａｎｔ）、ならびに／または短鎖アルコール（例：エタノールおよび／またはＩＰＡ）が挙げられる。静カビ剤または静菌剤としては、これらに限定されないが、すべてダウケミカル社から入手可能である、ＫＡＴＨＯＮ  ＧＣ、５−クロロ−２−メチル−４−イソチアゾリン−３−オン、ＫＡＴＨＯＮ  ＩＣＰ、２−メチル−４−イソチアゾリン−３−オン、およびこれらのブレンド、ならびにＫＡＴＨＯＮ  ８８６、５−クロロ−２−メチル−４−イソチアゾリン−３−オン、ブーツ社（Boots Company Ltd.）およびダウケミカル社からのＢＲＯＮＯＰＯＬ、２−ブロモ−２−ニトロプロパン  １，３  ジオール、ＩＣＩ  ＰＬＣからのＰＲＯＸＥＬ  ＣＲＬ、プロピル−ｐ−ヒドロキシベンゾエート、ニパラボラトリーズ社（Nipa Laboratories Ltd.）からのＮＩＰＡＳＯＬ  Ｍ、ｏ−フェニル−フェノール、Ｎａ+塩、ダウケミカル社からのＤＯＷＩＣＩＤＥ  Ａ、１，２−ベンゾイソチアゾリン−３−オン、ならびに、チバガイギー社（Ciba-Geigy A.G.）からのＩＲＧＡＳＡＮ  ＤＰ  ２００、２，４，４′−トリクロロ−２−ヒドロキシジフェニルエーテルを含む静カビ剤（非イソチアゾロン化合物を含む）が挙げられる。染料および着色剤としては、ＬＩＱＵＩＴＩＮＴ（登録商標）ＹｅｌｌｏｗもしくはＢｌｕｅなどの合成染料、または、例えばベータ−カロテンおよびリコペンを含むカロテノイドなどの天然の黄色、橙色、赤色、および／もしくは褐色顔料などの天然の植物染料または顔料が挙げられる。
【００５８】
ｐＨ
洗浄組成物のｐＨは、希釈せずに直接測定される。洗浄組成物は、７以上、または７．５以上、または８以上、または９以上、または１０以上、または７．５〜１１、または８〜１１、または９〜１１のｐＨを有してよい。
【００５９】
洗浄組成物の作製
本発明の洗浄組成物は、公知の方法および設備を用いて作製することができる。組成物の成分は、いかなる順序で添加してもよく、通常は、周囲条件下、均質な混合物、典型的には溶液を作り出すために十分に混合しながら、水へ添加される。洗浄組成物は、濃縮製剤として（典型的には、輸送および／または保管目的にて）、またはすぐに使用できる製剤として作製してよい。
【００６０】
洗浄組成物の使用
本発明の洗浄組成物は、公知の設備により、公知の方法で用いられる。濃縮物は、通常、使用前に、水および／または溶媒により希釈される。洗浄組成物は、洗浄されるべき表面へ直接適用してよく、またはクロス、ワイプ、マイクロファイバー、スポンジなどを例とする洗浄用具へ適用して、次にそれを表面へ適用してもよい。
【００６１】
本発明について、以下の実施例によってさらに記述する。
【実施例】
【００６２】
本発明のアルカノールアミンとＤＩＰＡおよびＴＩＰＡとを比較するサンプルの作製
１５グラム（ｇ）のサンプルを２０個作製した。各サンプルには、ダウケミカル社から入手可能である３つの界面活性剤、すなわち、ＴＲＩＴＯＮ  ＣＧ−５０（非イオン性、アルキルポリグルコシド）、ならびにＥＣＯＳＵＲＦ  ＥＨ−６およびＥＣＯＳＵＲＦ  ＥＨ−９（いずれも非イオン性、アルコールエトキシレート）のうちの１つ以上を含有させた。
【００６３】
各サンプルはまた、ダウケミカル社から入手可能である６つの溶媒、すなわち、ＤＯＷＡＮＯＬ  ＰｎＢ（プロピレングリコールｎ−ブチルエーテル）、ＤＯＷＡＮＯＬ  ＤＰＭ（ジプロピレングリコールメチルエーテル）、Ｂｕｔｙｌ  ＣＡＲＢＩＴＯＬ（商標）Ｓｏｌｖｅｎｔ（ＢｕＣｂ、ジエチレングリコールモノブチルエーテル）、ＤＯＷＡＮＯＬ  ＤＰｎＢ（ジプロピレングリコールｎ−ブチルエーテル）、ＤＯＷＡＮＯＬ  ＴＰｎＢ（トリプロピレングリコールｎ−ブチルエーテル）、およびＤＯＷＡＮＯＬ  ＴＰＭ（トリプロピレングリコールメチルエーテル）のうちの１つ以上も含有させた。
【００６４】
加えて、サンプルの各々には、トリス（ヒドロキシメチル）アミノメタン（ＴＲＩＳＡＭＩＮＯ）、２−アミノ−２−メチル−１，３−プロパンジオール（ＡＭＰＤ）、２−アミノ−２−エチル−１，３−プロパンジオール（ＡＥＰＤ  ＶＯＸ  １０００）、２−アミノ−２−メチル−１−プロパノール（ＡＭＰ−９５）、３−アミノ−４−オクタノール（ＣＯＲＲＧＵＡＲＤ  ＥＸＴ）、ジメチルアミノ−２−メチル−１−プロパノール（ＤＭＡＭＰ  ８０）、ジイソプロパノールアミン（ＤＩＰＡ）、およびＴＩＰＡ（トリイソプロパノールアミン）のうちの１つも含有させた。サンプルのほとんどには、水酸化ナトリウムも含有させた。残量を脱イオン水として、活性成分はサンプルの約４質量％を占めていた。
【００６５】
各サンプルは、５℃、２０℃、および５０℃にて目視評価を行い、均質性を判定した。各サンプルのフィルム形成およびストリーク性能は、以下で述べる手順に従って定量した。グレー値（Gray Value）によって測られる洗浄性能は、以下で述べる手順に従って測定した。
【００６６】
安定性について本発明のアルカノールアミンとＭＥＡとを比較するサンプルの作製
以下のマトリックスチャートに従い、モノエタノールアミン（ＭＥＡ）および６つの本発明のアルカノールアミンの各々について９６個のサンプルを、自動リキッドハンドラーを用いて種々の成分を１ミリリットル（ｍＬ）サンプルチューブへ分配することで作製した。６つのフル９６ウェルサンプルトレイ上に入れたこの６７２個のサンプルを、相安定性について目視で評価した。
【００６７】
【表１】
2014500356.tif 000002
【００６８】
サンプルＡおよびＢは、非イオン性ポリアルキルグルコシド界面活性剤を含む比較組成物である。サンプルＣおよびＤは、アニオン性界面活性剤を含む本発明の組成物であり、サンプルＥ〜Ｈは、非イオン性界面活性剤を含む本発明の組成物である。
【００６９】
性能試験のための本発明のアルカノールアミンおよびＭＥＡによるサンプルの作製
変数をできる限り広くカバーするために、各アミンについて、１５〜２０個の安定な製剤をマトリックスチャートから選択した。これらの製剤は、フィルム形成、およびストリーク、および洗浄性能試験のために、１５ｍＬの容量で作製した。
【００７０】
以下で述べる手順に従うフィルム形成性およびストリーク性の評価、ならびに洗浄性評価のために、１２３個の均質なサンプルを選択した。
【００７１】
フィルム形成性およびストリーク性試験手順
図１に示すように、９インチ四方のチーズクロスを折り畳んでおよそ４．５×２．２５インチの長方形とし、バインダークリップを取り付けてそれを持ち手とする。清浄なミラータイル上に、試験溶液を１０滴落とし、８滴は円を形成し、２滴はその円の中心となるパターンとする（図２に示すように）。直ちに、その表面にて、折り畳んだチーズクロスを下向きの圧力を加えずに１０ストロークさせる。逆方向への動きの各々を１パスとしてカウントする。１つの溶液あたり２つのタイルによる２回の反復実験とし、ＷＩＮＤＥＸ（登録商標）およびＦＡＮＴＡＳＴＩＫ（登録商標）硬質表面洗浄組成物を標準として、すべての溶液についてこの手順を繰り返す。タイルは、少なくとも２０分間かけて完全に乾燥させる。タイルを観察し、フィルム形成性およびストリーク性により１〜１０のスケールでランク付けする。
フィルム形成性：１＝目視可能なフィルム形成なし（ＷＩＮＤＥＸと比較して）、および１０＝高いフィルム形成／曇り度（ＦＡＮＴＡＳＴＩＫと比較して）
ストリーク性  ：１＝目視可能なストリークなし（ＷＩＮＤＥＸおよびＦＡＮＴＡＳＴＩＫと比較して）、および１０＝高いストリーク
評価の違いを最小限に抑え、オペレータが変わることによる相違を排除するために、タイルの評価はすべて同じオペレータによって行った。
【００７２】
硬質表面洗浄：スプリング圧縮機（ＳＣｉＤ）
製剤の硬質表面洗浄力を、ビニルタイルからの汚れの除去によって試験した。ビニルタイルを、１１．５ｃｍ×７．５ｃｍのサンプルサイズに合うように切断し、３％のカーボンブラックブラジル汚れ（Carbon Black Brazil soil）５００μＬを、フォームアプリケータを用いてタイルの溝付き側に適用し、およそ２４時間かけて乾燥させた。タイルをＳＣｉＤプレート中に配置し、オービタルシェーカー上に設置した。４００μＬの洗浄溶液を各ウェル部に分配し、１つは覆われたスラビー（carpeted srubbie）とし、これをシェーカー上で５分間運転した。各サンプルについて、３つのウェル部を試験し、サンプルは、良好な中程度の洗浄標準と共に運転した。サンプルをコンピュータへスキャンし、ＩｍａｇｅＪソフトウェアで分析した。洗浄力は、ウェル部の平均グレー値で測定し、サンプルの洗浄力は、３つのウェルのグレー値の平均で測定した。高いグレー値は、薄い円および高い洗浄力に相当し、低いグレー値は、濃い円および低い洗浄力に相当する。
【００７３】
【表２】
2014500356.tif 000003
【００７４】
安定性
最良の洗浄製剤について、高温および低温での安定性の試験を行った。およそ５ｍＬの洗浄製剤をガラス製小バイアルに入れ、蓋を閉めた。１つの製剤あたり３つのバイアルで行い、各々は、５０℃のオーブン、冷蔵庫、および冷凍庫中にて、少なくとも３時間試験した。溶液を室温まで戻し、素早く攪拌した。製剤が均質な外観を有し、目視可能な層形成がない場合に、安定であるとした。
【００７５】
結果
サンプル製剤、ならびに安定性および洗浄性能試験の結果を、表１Ａ〜１Ｄに報告する。図３Ａ〜３Ｃは、ＭＥＡを含む組成物の５、２０、および５０℃での安定性と、トリス（ヒドロキシメチル）アミノメタンまたは３−アミノ−４−オクタノールを含む組成物の同じ温度での安定性とを比較する図表の１群である。各サンプルは、混合前および混合後の結果を有する。緑（中間グレー）は均質を、黄（薄いグレー）は少量の第二相を、赤（濃いグレー）は明らかな２つの相を表す。これらの図表から分かる通り、本発明の組成物は、ＭＥＡ含有組成物と同程度の安定性を有する。
【００７６】
【表３】
2014500356.tif 000004
【００７７】
【表４】
2014500356.tif 000005
【００７８】
【表５】
2014500356.tif 000006
【００７９】
【表６】
2014500356.tif 000007
【００８０】
サンプル１〜４および１７〜２０は、比較組成物である。組成物はすべて低またはゼロＶＯＣアルカノールアミンを含むが、比較組成物だけが、著しいアルカノールアミン臭を有する。サンプルはすべて、冷蔵庫（約５℃）、室温（ＲＴ）（約２０℃）、および高温（約５０℃）の条件にて、透明で均質な溶液であった。フィルム形成性およびストリーク性の数値は、５未満（＜５）が許容されるが、サンプルのほとんどは、この基準を満たしていた。平均グレー値は、８５〜１２５の範囲内であった。
【００８１】
スクリーニング実験からの良好な結果に基づいて、アルカノールアミンおよびＭＥＡの各々のサンプルを、０．５質量％の３つの界面活性剤のうちの１つ、および６つの溶媒のうちの１つを用いて０．５質量％のアミンにて作製し、ここで、溶媒は３つの異なるレベルで試験した。各サンプルには、０．５質量％ＰｎＢおよび０．２質量％水酸化ナトリウムも含有させた。自動リキッドハンドラーを用いて６７２個のサンプルを作製し、それを、５、２０、および５０℃での相安定性の評価のために、３つの部分に分割した。
【００８２】
各サンプルは、混合前および混合後の結果を有している。サンプルの多くは、混合前であっても均質であった。その他のいくつかは、混合前に少量の第二相を有していたが、混合によって均質となった。サンプルのいくつかは、混合前に明らかな２つの相を有していたが、混合後は、均質またはほぼ均質となった。最後に、サンプルのいくつかは、混合後であっても、不均質のままであった。これは、主として、５０℃で発生した。
【００８３】
本発明の６つのアルカノールアミンはすべて、コントロールのＭＥＡと比較して、良好な洗浄性能を示した。驚くべきことに、ＡＭＰＤおよびＡＥＰＤは、ゼロＶＯＣであるにも関わらず、それらは、実際、ＭＥＡに匹敵するフィルム形成性およびストリーク性を示し、その他のアミンのほとんどは、許容されるフィルム形成およびストリーク性能を示した。
【００８４】
１２３個の実験からの結果を図４にプロットする。フィルム形成性の結果は、図の最上部にわたる１〜１０のスケールで示す。ストリーク性の結果は、図の右側上の１〜１０のスケールで示す。フィルム形成性およびストリーク性のレベルは、４以下（≦４）が一般的に要求されることから、左上側の角の４×４の正方形内に位置するものが、良好なサンプルである。洗浄性能は、図の左側に示す。小正方形の各行内にて、洗浄性結果は、３０〜１００のスケールでプロットしており、従って、それぞれのボックス内の上へ行くほど、洗浄性能が良好となる。
【００８５】
最良の製剤である＃７は、ＭＥＡ系であり、別のＭＥＡ系製剤＃１も、良好な結果を示したが、ＡＭＰＤを含有する＃２２、２３、２９、および４１は、許容されるフィルム形成性およびストリーク性と共に、良好な洗浄性結果を示した。同様に、トリス（ヒドロキシメチル）アミノメタンによる＃４２および４４、ならびに３−アミノ−４−オクタノールによる＃７６および７７も、許容されるフィルム形成性およびストリーク性と共に、良好な洗浄性を示した。
【００８６】
本発明を、好ましい実施形態についての先の記述を通してある程度詳細に記載してきたが、この詳細は、説明することを主たる目的とするものである。当業者であれば、多くの変形および改変を、以下の請求項に記載の本発明の趣旨および範囲から逸脱することなく行うことができる。
【図１】
2014500356.tif 000008
【図２】
2014500356.tif 000009
【図３Ａ】
2014500356.tif 000010
【図３Ｂ】
2014500356.tif 000011
【図３Ｃ】
2014500356.tif 000012
【図４】
2014500356.tif 000013
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
２０℃で０．１ｍｍＨｇ以下の蒸気圧を有する洗浄溶液組成物であって、前記組成物の質量に対する質量パーセントにて、
Ａ．０．１〜８質量％の界面活性剤、
Ｂ．０．１〜１質量％の水混和性溶媒、
Ｃ．トリス（ヒドロキシメチル）アミノメタン、２−アミノ−２−メチル−１，３−プロパンジオール、２−アミノ−２−エチル−１，３−プロパンジオール、Ｎ，Ｎ−ジメチルアミノ−２−メチル−１−プロパノール、および３−アミノ−４−オクタノールからなる群より選択される、０．１〜５質量％のアルカノールアミン、ならびに
Ｄ．少なくとも８０質量％の水
を含む、洗浄溶液組成物。
【請求項２】
前記水が、脱イオン化されており、前記組成物の９０〜９９．５質量％を占める、請求項１に記載の洗浄組成物。
【請求項３】
前記界面活性剤が、アルコキシル化非イオン性界面活性剤である、請求項１または２に記載の洗浄組成物。
【請求項４】
前記界面活性剤が、アルコールエトキシレートである、請求項１〜３のいずれか１項に記載の洗浄組成物。
【請求項５】
前記溶媒が、プロピレングリコールｎ−ブチルエーテル、プロピレングリコールｎ−プロピルエーテル、ジプロピレングリコールメチルエーテル、ジプロピレングリコールプロピルエーテル、ジプロピレングリコールｎ−ブチルエーテル、トリプロピレングリコールｎ−ブチルエーテル、およびトリプロピレングリコールメチルエーテルのうちの１つ以上である、請求項１〜４のいずれか１項に記載の洗浄組成物。
【請求項６】
アルカリ性剤、ビルダー、香料、保存剤、殺生物剤、着色剤、染料、およびレオロジー改質剤のうちの少なくとも１つをさらに含む、請求項１〜５のいずれか１項に記載の洗浄組成物。
【請求項７】
アルカリ金属水酸化物を含む、請求項１〜８のいずれか１項に記載の洗浄組成物。
【請求項８】
前記アルカノールアミンが、トリス（ヒドロキシメチル）アミノメタンおよび３−アミノ−４−オクタノールのうちの少なくとも１つである、請求項１〜７のいずれか１項に記載の洗浄組成物。
【国際調査報告】
2014500356.tif 000014
2014500356.tif 000015
2014500356.tif 000016
2014500356.tif 000017